(57)【特許請求の範囲】
【請求項１】
苗載台の左右幅方向の長さを縮小可能とした田植機において、植付フレームより側方にサイドバンパーを突出し、該サイドバンパーをガイド体に摺動可能に嵌合して、サイドバンパーを機体内方に収納可能とするとともに、前記ガイド体を略Ｕ字状に構成して複数設け、各ガイド体の取付位相が異なるように配置したことを特徴とする田植機のサイドバンパー。
【請求項２】
前記サイドバンパーからスライド部を突出し、該スライド部を前記ガイド体の延出部に沿って摺動可能とし、該スライド部とガイド体の間に固定部材を設けたことを特徴とする請求項１記載の田植機のサイドバンパー。
【請求項３】
前記スライド部に摺動方向と平行にガイド溝を穿孔すると共に、前記ガイド体には固定部材を設け、該固定部材を前記ガイド溝に係止することによりサイドバンパーを固定可能としたことを特徴とする請求項２記載の田植機のサイドバンパー。
【請求項４】
前記サイドバンパーの外端に、線引きマーカの支持杆を回動可能に連結し、該支持杆の基端には線引きマーカの張出と収納を行うワイヤを連結し、該ワイヤを案内する支持部材を前記サイドバンパーに設けたことを特徴とする請求項１記載の田植機のサイドバンパー。
【発明の詳細な説明】
【０００１】
【発明の属する技術分野】
本発明は、乗用田植機の苗載台の左右幅方向の長さを縮小可能にすると共に、サイドバンパーも機体内方に収納して左右幅を更に狭めて、容易に格納したり、搬送したりできるようにした田植機に関する。
【０００２】
【従来の技術】
従来から、多条植え型の田植機においては、搬送や移動や格納をする場合にコンパクト化を図るため、苗載台やサイドバンパーを折り畳めるように構成した技術が知られている。
特に、サイドバンパーについては、サイドバンパーの左右両端部を回動可能に枢支し、格納時には後方に回動してピン止めなどにより固定したもの、あるいは、格納時に下方に折り畳める構成としたものがあった。
【０００３】
【発明が解決しようとする課題】
しかし、前者の場合は、折り畳んだ苗載台と干渉する恐れから、サイドバンパーを機体内側にあまり回動させることができず、そのために左右幅方向の長さの縮み幅が小さい、という問題があった。
また後者の場合、例えば納屋等への格納時において、苗載台を下降させる際に、格納されたサイドバンパーが地面に衝突して破損する恐れがある、という問題があった。
【０００４】
【課題を解決するための手段】
本発明の解決しようとする課題は以上の如くであり、次に該課題を解決するための手段を説明する。即ち、請求項１においては、苗載台の左右幅方向の長さを縮小可能とした田植機において、植付フレームより側方にサイドバンパーを突出し、該サイドバンパーをガイド体に摺動可能に嵌合して、サイドバンパーを機体内方に収納可能とするとともに、前記ガイド体を略Ｕ字状に構成して複数設け、各ガイド体の取付位相が異なるように配置したものである。
【０００５】
請求項２においては、請求項１記載のサイドバンパーからスライド部を突出し、該スライド部を前記ガイド体の延出部に沿って摺動可能とし、該スライド部とガイド体の間に固定部材を設けたものである。
【０００６】
請求項３においては、請求項２記載のスライド部に摺動方向と平行にガイド溝を穿孔すると共に、前記ガイド体には固定部材を設け、該固定部材を前記ガイド溝に係止することによりサイドバンパーを固定可能としたものである。
【０００７】
請求項４においては、請求項１記載のサイドバンパーの外端に、線引きマーカの支持杆を回動可能に連結し、該支持杆の基端には線引きマーカの張出と収納を行うワイヤを連結し、該ワイヤを案内する支持部材を前記サイドバンパーに設けたものである。
【０００８】
【発明の実施の形態】
次に、本発明の実施の形態を説明する。
図１は本発明のサイドバンパーを備えた田植機の全体側面図、図２は植付部の側面図、図３は分割苗載台を主苗載台上に収納した後面図、図４は植付けフレームの全体正面図、図５はサイドバンパーの摺動及び固定構成を示す正面図、図６は同じく正面拡大図、図７はサイドバンパーの側面一部断面図である。
【０００９】
まず、本発明に係わる乗用田植機の全体構成について、図１乃至図３により説明する。
図１に示すように、乗用田植機Ａは走行部１の後部に昇降リンク機構２７を介して植付部４が配置され、該走行部１は車体フレーム３の前部上方にエンジン２を搭載し、前下部にフロントアクスルケースを介して前輪６を支持させると共に、後部にリヤアクスルケース７を介して後輪８を支持している。そして、前記エンジン２はボンネット９に覆われ、該ボンネット９の両側に予備苗載台１０・１０を配設し、該ボンネット９後部のダッシュボード５上に操向ハンドル１４を配置し、該ボンネット９両側とその後部の車体フレーム３上を車体カバー１２で覆い、操向ハンドル１４後方位置に座席１３を配置し、ボンネット９の両側と座席１３前部と、座席１３左右両側及び座席１３後方をステップとしている。
【００１０】
そして、前記運転席１３の側部には走行変速レバー３０や植付昇降兼作業走行変速用副変速レバー３１や植付感度調節レバーが配置され、ダッシュボード５下部のステップ上には主クラッチペダル３２や左右ブレーキペダルが配設され、前記座席１３後方には８条用の施肥機３３が配設されている。
【００１１】
また、前記植付部４は、苗載台１６や植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、該下ガイドレール１８及び上ガイドレール１９は植付センターケース２０より後述する植付フレーム２３等を介して支持されている。そして、植付センターケース２０より左右両側方へ後述する連結パイプ２９を突設してチェーンケース２１を固設し、該チェーンケース２１・２１・・・を平行に後方へ突出して、該チェーンケース２１の後部に一方向に回転させるロータリーケース２２を配置し、該ロータリーケース２２の両側に一対の植付爪１７・１７を配置している。
こうして、前進走行とともに苗載台１６を左右に往復摺動して、この往復動に同期させて植付爪１７を駆動して一株分の苗を切り出し、連続的に植え付け作業を行うように構成している。
【００１２】
また、前記植付センターケース２０の前部にはローリング支点軸を介して前記昇降リンク機構２７と連結され、該昇降リンク機構２７はトップリンク２５やロワーリンク２６等より構成され、座席１３下方に配置した昇降シリンダ２８によって植付部４を昇降できるようにしている。
【００１３】
そして、図２、図３に示すように、前記苗載台１６は、進行方向右外側の二条分の苗載台を分割して分割苗載台１６Ｄとし、機体中央側の固定された六条分の苗載台を主苗載台１６Ｍとしており、前記分割苗載台１６Ｄを着脱可能に構成して、該分割苗載台１６Ｄを取り外して主苗載台１６Ｍの後部上に載置して係合し、収納可能に構成している。なお、延長した下ガイドレール１８は前方へ回動して収納できるようにしており、後で詳述するサイドバンパー８５は内側へ摺動して収納できるようにしている。
【００１４】
次に本発明のサイドバンパーを取り付けた植付けフレーム２３の構成について、その概略を図４により説明する。
植付フレーム２３は左右水平方向に配置する横杆２３ａと、該横杆２３ａの左右両側に連結して上下方向に配置する縦杆２３ｂ・２３ｂよりなり、正面視略門型に構成されている。該縦杆２３ｂ・２３ｂの上部と該横杆２３ａの中途部より立設したステー２３ｄ・２３ｄ上に前記上ガイドレール１９を嵌合して支持するシュー２４・２４・・・が配置されている。
【００１５】
また、前記縦杆２３ｂ・２３ｂの下部は両側のチェーンケース２１・２１、または、チェーンケース２１・２１を連結する連結パイプ２９に固設されている。前記横杆２３ａの左右中央部の下部には略三角形状の取付プレート２３ｃ・２３ｃが固設され、該取付プレート２３ｃ・２３ｃにセンターフレーム６１の上端が固設されている。
該センターフレーム６１は正面視逆「ハ」字状に配置した支持パイプ６１ａ・６１ａと、該支持パイプ６１ａ・６１ａの下部を左右水平方向に連結する連結プレート６１ｂからなり、該支持パイプ６１ａは正面視及び側面視において「く」字状に曲げられ、その上端は前記植付フレーム２３に設けた取付プレート２３ｃにボルト等によって固定される。
【００１６】
また、前記連結プレート６１ｂの下部は前記植付センターケース２０の上面及び前面にかけて固定した取付ブラケット６３に固設され、該植付センターケース２０の下部両側より連結パイプ２９・２９が側方に突設されて、前記植付フレーム２３とによって四角形状に連結固定して、この四角形の左右中途部をセンターフレーム６１と取付ブラケット６３と植付センターケース２０によって縦方向に連結して強度アップを図っている。
そして更に、前記取付プレート２３ｃ・２３ｃと縦杆２３ｂ・２３ｂ下部との間の対角線方向には、ターンバックル式の緊張ロッド６４・６４を配置して、ターンバックルを回動して締め付け、両側を引っ張り上げることを可能としている。
【００１７】
従って、緊張ロッド６４とセンターフレーム６１は正面視において略Ｍ状に配設されることになり、該緊張ロッド６４のターンバックルを回動して締め付けたときの引っ張り方向の力は、支持パイプ６１ａの上端部において略直角方向となり、両側のチェーンケース２１を上方へ持ち上げる力が働くようになり、この上方への持ち上げ力は、緊張ロッド６４の上側の連結点が左右中心よりも左右両側方へ移動するので、緊張ロッド６４の角度は大きくなり持ち上げ方向の分力も増大させることができるのである。
【００１８】
次に、本発明に係わるサイドバンパーの構成について、図５乃至図７により説明する。
図６、図７に示すように、前記縦杆２３ｂ下部の前面から前方にＬ字状の取付ステー８８が突設され、該取付ステー８８の下半分には下方に開口するように凹部８８ａが形成され、該凹部８８ａに側面視略Ｕ字状の第一Ｕ型ガイド９６を嵌装するとともに、取付ステー８８の下面は、前記チェーンケース２１上に固設された連結プレート８９の上面に、ボルト９４・９４により締結固定されている。一方、前記チェーンケース２１の張出部２１ａにはＹ字状の支持プレート９０がボルト９５・９５により締結固定され、該支持プレート９０の上半分に形成した凹部９０ａには、前記第一Ｕ型ガイド９６と左右軸芯が同じで、かつ前後傾きの異なる第二Ｕ型ガイド９７を嵌装している。すなわち、第一Ｕ型ガイド９６と第二Ｕ型ガイド９７を取付位相が異なるように配設しているのである。
【００１９】
このようにして前記植付フレーム２３に固設された該第二Ｕ型ガイド９７と前記第一Ｕ型ガイド９６の軸芯上には、本発明に係わるＬ字状に構成したサイドバンパー８５の長パイプ部８５ｃが摺動可能に挿通されており、該長パイプ部８５ｃの外側端からは、図２に示すように、短パイプ部８５ｄを後ろ斜め下方に延出して、畦際での植付け作業や畦越えなどの際には、前記苗載台１６下部を側方及び下方からの衝突より保護するようにしている。
【００２０】
また、前記長パイプ部８５ｃの上側面からはスライド部８５ａを垂設し、該スライド部８５ａの上下略中央位置にはガイド溝８５ｂを左右方向に開口し、該ガイド溝８５ｂと孔軸芯と一致するネジ孔９７ｂを前記第二Ｕ型ガイド９７の延出部９７ｃに開口してその裏面にナットを固設して、該ネジ孔９７ｂと前記ガイド溝８５ｂには、固定ネジとしてノブネジ８６を座金９２を介して挿通してナットに螺装固定できるように固定部材を構成している。但し、固定部材はネジに限定するものではなく、ピン孔とピンや収納位置と作業位置に係止部を設けて係合固定させるような構造とすることも可能である。
【００２１】
すなわち、サイドバンパー８５は複数のＵ型ガイドで挟持されているため、こじることなく左右に摺動しやすいと同時に、サイドバンパー８５の回転モーメントが規制されており、側方及び下方からの衝突力が大きい場合であっても、十分な保護機能を発揮することができる。さらには、サイドバンパー８５の摺動部分である長パイプ部８５ｃを挟持する側板９６ａ・９７ａの傾き、すなわち取付位相が個々のＵ型ガイドによって異なるため、作業時に、サイドバンパー８５を外側に摺動して延出させた場合であっても、その際のがたつきをほとんど解消することができるのである。
【００２２】
また、サイドバンパー８５の固定は、該サイドバンパー８５のスライド部８５ａを第二Ｕ型ガイド９７にノブネジ８６で締結するだけで可能なため、サイドバンパー８５の左右方向と回転方向の位置を同時に固定することができ、サイドバンパー８５の機体内方への収納作業を迅速かつ確実に行うことができる。
さらに、作業時と収納時の固定位置間はガイド溝８５ｂで連結され、該ガイド溝８５ｂに挿入されたノブネジ８６を緩めるだけで摺動可能な構成となっているため、サイドバンパー８５の摺動・収納作業を容易に行うことができるのである加えて、作業者が、特別な治具を用いることなく簡単な手作業でサイドバンパーの摺動・収納作業を行うことができ、任意位置で固定できるので、畦際や旋回しながら植え付ける時等で、サイドバンパーの最外側と畦、又は、既植付苗との間隔も任意に調整することができる。
【００２３】
このようなサイドバンパー８５には、図５、図６に示すように、線引きマーカ９８が折り畳み・張出伸長自在に設けられている。
すなわち、サイドバンパー８５の外端の屈曲部に、マーカ本体部である支持杆９９を介して、線引きマーカ９８を折り畳み自在に連結させるものであり、該支持杆９９の基端の起伏板１００は回動支点軸１０１を介して回動自在にサイドバンパー８５に連結されている。該起伏板１００の支持杆９９側にはマーカ引上用ワイヤ９３ａが連結されて、前記植付部４の昇降リンク機構２７と接続されており、植付部４の上昇時には線引きマーカ９８を収納するように引っ張り、一方、起伏板１００の反対側端とサイドバンパー８５との間には図示せぬコイルバネが介装されて、線引きマーカ９８を張り出す方向に付勢している。
【００２４】
前記起伏板１００の支持杆９９側にはローラ１０７が枢支され、該ローラ１０７には、サイドバンパー８５に回動支点軸１０６により枢支されるマーカストッパー１０５上部が当接している。また、該回動支点軸１０６の外周面に巻回したコイルバネ１０２の一端は、サイドバンパー８５下面に係止し、コイルバネ１０２の他端は、前記マーカストッパー１０５途中部に係止しており、マーカストッパー１０５上部を外側に回動付勢して、前記ローラ１０７に当接している。
さらに、マーカストッパー１０５上部にはロック解除用ワイヤ９３ｂの一端が連結されており、前記植付昇降兼作業走行変速用副変速レバー３１の左右操作にて、ロック解除用ワイヤ９３ｂが引っ張られ、前記コイルバネ１０２の付勢力に抗してマーカストッパー１０５を上方へ回動可能とする。
【００２５】
このような構成において、植付部４を上昇させると、マーカ引上用ワイヤ９３ａが上昇回転して引き上げられ、その上昇位置において、線引きマーカ９８基部のローラ１０７がマーカストッパー１０５下部の溝に係止され、線引きマーカ９８が上昇位置に保持される構成となっている。
【００２６】
その際、前記線引きマーカ９８、支持杆９９などから成るマーカ部１０４は、サイドバンパー８５が左右に摺動しても、マーカー使用中は該サイドバンパー８５の外側に位置しており、さらに、前記マーカ引上用ワイヤ９３ａ及びロック解除用ワイヤ９３ｂはアウタ１０３に外嵌・保護され、該アウタ１０３は前記サイドバンパー８５のスライド部８５ａ上に固設したアウタ受け８７内に摺動可能に内挿されており、該アウタ受け８７から前記マーカ部４までの各ワイヤ９３ａ・９３ｂ長は変化しない構成となっている。
そのため、アウタ受け８７は、マーカ部４よりも常に機体内側に位置し、しかも該マーカ部４の折り畳み操作に必要なワイヤ長を十分に確保可能な位置に配設されているため、マーカ引上用ワイヤ９３ａ及びロック解除用ワイヤ９３ｂは滑らかに動作し、しかも、マーカ部４とサイドバンパー８５とは互いに干渉しないため、収納作業を迅速に行うことができる。
【００２７】
また、アウタ受け８７を前記の如く摺動するサイドバンパー８５上に固設し、サイドバンパー８５と一緒に移動するようにしたため、たとえサイドバンパー８５の収納時の固定位置にばらつきがあっても、前記マーカ引上用ワイヤ９３ａ及びロック解除用ワイヤ９３ｂの支持位置が変わらず、ワイヤ９３・９３を滑らかに動作することができ、マーカ操作を確実に行うことができるのである。
【００２８】
【発明の効果】
本発明は以上の如く構成したので、次のような効果を奏するのである。
すなわち、請求項１の如く、苗載台の左右幅方向の長さを縮小可能とした田植機において、植付フレームより側方にサイドバンパーを突出し、該サイドバンパーをガイド体に摺動可能に嵌合して、サイドバンパーを機体内方に収納可能とするとともに、前記ガイド体を略Ｕ字状に構成して複数設け、各ガイド体の取付位相が異なるように配置したので、サイドバンパーの収納に要するスペースを小さくして苗載台との干渉を最小とし、収納時の機体左右幅をより一層狭くすることができる。さらに、取付位相が異なる複数の略Ｕ字状のガイド体で支持したため、サイドバンパーをがたつきなく確実に支持できると共に、外部からの耐衝突性能も著しく向上させることができる。
【００２９】
請求項２の如く、請求項１記載のサイドバンパーからスライド部を突出し、該スライド部を前記ガイド体の延出部に沿って摺動可能とし、該スライド部とガイド体の間に固定部材を設けたので、サイドバンパーの左右方向の摺動がスライド部と延出部によってガイドされるとともに、回転方向に対しても同時に規制することができ、収納作業を迅速かつ確実に行うことができ、容易に固定することができる。
【００３０】
請求項３の如く、請求項２記載のスライド部に摺動方向と平行にガイド溝を穿孔すると共に、前記ガイド体には固定部材を設け、該固定部材を前記ガイド溝に係止することによりサイドバンパーを固定可能としたので、サイドバンパーの摺動・収納作業を容易に行うことができる。
【００３１】
請求項４の如く、請求項１記載のサイドバンパーの外端に、線引きマーカの支持杆を回動可能に連結し、該支持杆の基端には線引きマーカの張出と収納を行うワイヤを連結し、該ワイヤを案内する支持部材を前記サイドバンパーに設けたので、ワイヤが滑らかに動作して、しかも、線引きマーカとサイドバンパーは互いに干渉しないため、収納作業を迅速に行うことができる。また、サイドバンパーの固定位置にずれがあっても、マーカ操作を確実に行うことができる。
【図面の簡単な説明】
【図１】本発明のサイドバンパーを備えた田植機の全体側面図である。
【図２】植付部の側面図である。
【図３】分割苗載台を主苗載台上に収納した後面図である。
【図４】植付けフレームの全体正面図である。
【図５】サイドバンパーの摺動及び固定構成を示す正面図である。
【図６】同じく正面拡大図である。
【図７】サイドバンパーの側面一部断面図である。
【符号の説明】
Ａ  田植機
１６  苗載台
２３  植付フレーム
８５  サイドバンパー
８５ａ  スライド部
８５ｂ  ガイド溝
８６  固定部材
８７  支持部材
９３ａ・９３ｂ  ワイヤ
９６・９７  ガイド体
９７ｃ  延出部
９８  線引きマーカ
９９  支持杆
【図１】
0004023951.tif 000002
【図２】
0004023951.tif 000003
【図３】
0004023951.tif 000004
【図４】
0004023951.tif 000005
【図５】
0004023951.tif 000006
【図６】
0004023951.tif 000007
【図７】
0004023951.tif 000008